(57)【要約】【課題】磁力センサ等の外部部品を利用しなくても、ゴトを検出することができるゴト検出装置を提供する。【解決手段】優先順位が付けられた所定数のタイマと、入賞口入賞情報が発生した時に、所定数のタイマであって、出力がインアクティブであるタイマのうちの最も優先順位が高いタイマを起動する優先順位エンコーダと、所定数のタイマの全ての出力がアクティブである時に、出力がアクティブとなる論理積ゲートと、を備え、論理積ゲートの出力がアクティブとなったときにゴト検出をしたこととする。【選択図】図１
2010068995.tif 000002
【特許請求の範囲】
【請求項１】
優先順位が付けられた所定数のタイマと、
入賞口入賞情報が発生した時に、前記所定数のタイマに含まれるタイマであって、出力がインアクティブであるタイマのうちの最も優先順位が高いタイマを起動する優先順位エンコーダと、
前記所定数のタイマの全ての出力がアクティブである時に、出力がアクティブとなる論理積ゲートと、
を備え、
前記論理積ゲートの出力がアクティブとなったときにゴト検出をしたこととすることを特徴とするゴト検出装置。
【請求項２】
各タイマの出力は、優先順位エンコーダによって起動されるとアクティブとなり、アクティブとなってから所定時間経過するとインアクティブとなることを特徴とする
請求項１に記載のゴト検出装置。
【請求項３】
前記論理積ゲートの出力がアクティブとなった時に、警報を出力する手段を更に備えることを特徴とする
請求項１又は２に記載のゴト検出装置。
【請求項４】
請求項３に記載のゴト検出装置を備えることを特徴とするＣＲ機。
【請求項５】
優先順位が付けられた所定数のタイマを利用し、
入賞口入賞情報が発生した時に、前記所定数のタイマに含まれるタイマであって、出力がインアクティブであるタイマのうちの最も優先順位が高いタイマを起動するステップと、
前記所定数のタイマの全ての出力がアクティブである時に、出力がアクティブとなる論理積ゲートと、
を備え、
前記論理積ゲートの出力がアクティブとなったときにゴト検出をしたこととすることを特徴とするゴト検出方法。
【請求項６】
各タイマの出力は、優先順位エンコーダによって起動されるとアクティブとなり、アクティブとなってから所定時間経過するとインアクティブとなることを特徴とする
請求項５に記載のゴト検出方法。
【請求項７】
前記論理積ゲートの出力がアクティブとなった時に、警報を出力するステップを更に備えることを特徴とする
請求項５又は６に記載のゴト検出方法。
【請求項８】
優先順位が付けられた所定数のタイマと、
入賞口入賞情報が発生した時に、前記所定数のタイマに含まれるタイマであって、出力がインアクティブであるタイマのうちの最も優先順位が高いタイマを起動する優先順位エンコーダと、
前記所定数のタイマの全ての出力がアクティブである時に、出力がアクティブとなる論理積ゲートと、
を備え、
前記論理積ゲートの出力がアクティブとなったときにゴト検出をしたこととすることを特徴とするゴト検出装置としてコンピュータを機能させるためのプログラム。
【請求項９】
各タイマの出力は、優先順位エンコーダによって起動されるとアクティブとなり、アクティブとなってから所定時間経過するとインアクティブとなることを特徴とする
請求項８に記載のプログラム。
【請求項１０】
前記ゴト検出装置は、前記論理積ゲートの出力がアクティブとなった時に、警報を出力する手段を更に備えることを特徴とする
請求項８又は９に記載のプログラム。
【発明の詳細な説明】
【技術分野】
【０００１】
本発明は、ゴト検出装置及びそれを有するＣＲ(Card Reader)機、ゴト検出方法並びにコンピュータをゴト検出装置として機能させるためのプログラムに関する。
【背景技術】
【０００２】
ＣＲ機とは、プリペイドカードに対応したパチンコ遊技機のことであり、玉が始動口に入賞することによって出目が抽選される。ＣＲ機を対象とした不正行為として、ゴト行為が不正客により行われる場合がある。ゴト行為の例としては、ＣＲ機の始動入賞口に、磁石等を用いて、玉を不正に大量に始動口に入賞させる行為がある。
【０００３】
ゴト行為を店舗側で検出するためには、例えば、磁気センサ等の追加部品を利用する場合がある。また、特許文献１に記載されているように、基準となる入賞玉数を設定し、その玉数を実際の入賞玉数と比較する方法もある。
【特許文献１】特開２００８−１０９９８７号公報
【発明の開示】
【発明が解決しようとする課題】
【０００４】
しかし、磁気センサ等の追加部品を利用すると、その分だけＣＲ機のコストが上昇してしまう。また、特許文献１に記載されている方法では、基準となる入賞口に対して、短時間の大量入賞があった場合、これをゴトとして認識することができない。
【０００５】
そこで、本発明は、特別な追加部品を用いず、確実にゴト行為を検出することを可能とするゴト検出装置、それを有するＣＲ機、ゴト検出方法並びにコンピュータをそのゴト検出装置として機能させるためのプログラムを提供することを目的とする。
【課題を解決するための手段】
【０００６】
本発明によれば、優先順位が付けられた所定数のタイマと、入賞口入賞情報が発生した時に、前記所定数のタイマに含まれるタイマであって、出力がインアクティブであるタイマのうちの最も優先順位が高いタイマを起動する優先順位エンコーダと、前記所定数のタイマの全ての出力がアクティブである時に、出力がアクティブとなる論理積ゲートと、を備え、前記論理積ゲートの出力がアクティブとなったときにゴト検出をしたこととすることを特徴とするゴト検出装置が提供される。
【０００７】
また、本発明によれば、優先順位が付けられた所定数のタイマを利用し、入賞口入賞情報が発生した時に、前記所定数のタイマに含まれるタイマであって、出力がインアクティブであるタイマのうちの最も優先順位が高いタイマを起動するステップと、前記所定数のタイマの全ての出力がアクティブである時に、出力がアクティブとなる論理積ゲートと、を備え、前記論理積ゲートの出力がアクティブとなったときにゴト検出をしたこととすることを特徴とするゴト検出方法が提供される。
【０００８】
更に、本発明によれば、優先順位が付けられた所定数のタイマと、入賞口入賞情報が発生した時に、前記所定数のタイマに含まれるタイマであって、出力がインアクティブであるタイマのうちの最も優先順位が高いタイマを起動する優先順位エンコーダと、前記所定数のタイマの全ての出力がアクティブである時に、出力がアクティブとなる論理積ゲートと、を備え、前記論理積ゲートの出力がアクティブとなったときにゴト検出をしたこととすることを特徴とするゴト検出装置としてコンピュータを機能させるためのプログラムが提供される。
【発明の効果】
【０００９】
本発明によれば、磁力センサ等の外部部品を利用しなくても、確実にゴトを検出することができる。
【発明を実施するための最良の形態】
【００１０】
以下、図面を参照して本発明を実施するための最良の形態について詳細に説明する。
【００１１】
図１は、本発明の実施形態によるゴト検出装置の構成を示すブロック図である。
【００１２】
図１を参照すると、本発明の実施形態によるゴト検出装置は、始動口入賞認識回路１０１、優先順位エンコーダ１０３、タイマ１（符号１０５−１）、タイマ２（符号１０５−２）、・・・、タイマＮ（符号１０５−Ｎ）、Ｎ入力論理積ゲート１０７及び警報出力部１０９を備える。
【００１３】
図１に示す各部は、ハードウェアによって構成することもできるが、コンピュータをこれらの各部として機能させるためのプログラムをコンピュータが読み込んで実行することによっても構成することができる。
【００１４】
始動口入賞認識回路１０１は、始動口に入賞があったことを認識し、入賞があると、始動口入賞情報を優先順位エンコーダ１０３に出力する。始動口入賞認識回路は、通過センサによって構成することができる。ここで、始動口とは、ＣＲ機などにおいて、デジタルを回転させるトリガとなる入賞口のことを指している。
【００１５】
優先順位エンコーダ１０３は、始動口入賞認識回路から始動口入賞情報を入力すると、タイマ１〜Ｎのうちの何れかのタイマを起動するためのトリガを出力する。但し、全てのタイマ１〜Ｎの出力がアクティブである場合には、トリガを出力しない。
【００１６】
タイマ１（符号１０５−１）〜タイマＮ（符号１０５−Ｎ）の各々は、トリガがかけられると出力をアクティブとし、カウントを開始し、それから設定されたカウント時間だけ経過すると出力をインアクティブとし、動作を終える。
【００１７】
Ｎ入力論理積ゲート１０７は、タイマ１の出力からタイマＮの出力までを入力し、タイマ１の出力からタイマＮの出力までの全てがアクティブである場合に、自身の出力をアクティブとする。それ以外の場合には、その出力をインアクティブとする。
【００１８】
警報出力部１０９は、Ｎ入力論理積ゲート１０７の出力がアクティブとなった時に、警報信号を出力する。警報信号は、例えば、ブザーであったり、監視用モニターに現れる点灯信号などである。
【００１９】
図２は、各タイマの動作を説明するためのフローチャートである。
【００２０】
まず、準備として、タイマにカウント時間を設定する（ステップＳ２０１）。
【００２１】
次に、自タイマにトリガがかけられるまで待つ（ステップＳ２０３のループ）。
【００２２】
自タイマにトリガがかけられたならば（ステップＳ２０３でＹＥＳ）、タイマ計数を開始し、タイマ出力をアクティブにする（ステップＳ２０５）。
【００２３】
そして、カウント時間が完了するまで待つ（ステップＳ２０７のループ）。
【００２４】
カウント時間が完了したならば（ステップＳ２０７でＹＥＳ）、タイマ計数を終了し、タイマの出力をアクティブとする（ステップＳ２０９）。
【００２５】
その後、ステップＳ２０３に戻り、次のトリガがかけられるまで待つ。
【００２６】
図３は、図１に示す優先順位エンコーダ１０３の入賞情報があった場合の真理値表である。すなわち、図３は、図１に示す優先順位エンコーダ１０３が、入賞情報があった場合において、どのタイマの出力がアクティブであり、どのタイマの出力がインアクティブである場合に、どのタイマにトリガがかけられるかを示す。
【００２７】
図３に示す真理値表を見ると明らかなように、出力がインアクティブであるタイマのうち最も番号が若いタイマ（すなわち、優先順位が最も高いタイマ）にトリガがかけられる。
【００２８】
図４は、図３に示す真理値表に従った動作を実現させるためのフローチャートである。
【００２９】
まず、台（すなわち、ＣＲ機）の状態が確率変動状態又は時短状態であるか否かを判断する（ステップＳ２２１のループ）。ここで、確率変動状態とは、通常よりも大当たりの確率が高くなる状態のことであり。例えば、通常時に大当たりの確率が１／３００であるのに対し、確率変動状態では、大当たりの確率が１／３０となる。また、時短状態とは、大当たりの確率そのものは通常時と全く同じであるが、始動口をサポートするチューリップが頻繁に開くようになり、その結果、短時間における大量入賞が見込める状態のことである。ステップＳ２２１を実行することにより、確率変動状態又は時短状態での玉の大量入賞がゴトであると誤認識されることを防止することが可能となる。
【００３０】
ステップＳ２２１の結果が否定的である場合には、始動口に入賞が発生するまで待つ（ステップＳ２２３のループ）。
【００３１】
始動口に入賞が発生したならば（ステップＳ２２３でＹＥＳ）、まず、タイマ１の出力がアクティブであるか否かを判断する（ステップＳ２２５）。タイマ１の出力がインアクティブである場合には（ステップＳ２２５でＮＯ）、タイマ１にトリガをかける（ステップＳ２２７）。
【００３２】
タイマ１の出力がアクティブである場合には（ステップＳ２２５でＹＥＳ）、タイマ２の出力がアクティブであるか否かを判断する（ステップＳ２２９）。タイマ２の出力がインアクティブである場合には（ステップＳ２２９でＮＯ）、タイマ２にトリガをかける（ステップＳ２３１）。
【００３３】
このようなことをタイマ１からＮまで順々に繰り返し、タイマ１からタイマＮ−２までの全ての出力がアクティブである場合には、タイマＮ−１の出力がアクティブであるか否かを判断する（ステップＳ２３３）。タイマＮ−１の出力がインアクティブである場合には（ステップＳ２３３でＮＯ）、タイマＮ−１にトリガをかける（ステップＳ２３５）。
【００３４】
タイマＮ−１の出力がアクティブである場合には（ステップＳ２３３でＹＥＳ）、タイマＮの出力がアクティブであるか否かを判断する（ステップＳ２３７）。タイマＮの出力がインアクティブである場合には（ステップＳ２３７でＮＯ）、タイマＮにトリガをかける（ステップＳ２３９）。
【００３５】
タイマ１〜Ｎの全ての出力がアクティブである場合には（ステップＳ２３７でＹＥＳ）、どのタイマにもトリガをかけない。
【００３６】
次に、タイミング図を参照して、動作例を説明する。ゴト検出をしない例を２つ、ゴト検出をする例を２つ説明する。これらの図の例において大文字のアルファベットは、アルファベット順に始動口入賞情報が発生したタイミングを示す。
【００３７】
図５は、ゴトを検出しない第１の例の動作を説明するためのタイミング図である。図５の例では、始動口入賞情報が発生するタイミングの間隔が全て、タイマ１に設定されたカウント時間より長いので、タイマ１の出力のみが間欠的にアクティブとなり、他のタイマの出力は常にインアクティブであるため、警報は出力されない。
【００３８】
図６は、ゴトを検出しない第２の例の動作を説明するためのタイミング図である。図６の例では、タイミングＡとタイミングＤの間隔、タイミングＤとタイミングＥの間隔、タイミングＥとタイミングＧの間隔、タイミングＧとタイミングＪの間隔がタイマ１に設定されたカウント時間より長いので、タイミングＡからそれからカウント時間が経過するまでと、タイミングＤからそれからカウント時間が経過するまでと、タイミングＥからそれからカウント時間が経過するまでと、タイミングＧからそれからカウント時間が経過するまでと、タイミングＪからそれからカウント時間が経過するまでとにおいて、タイマ１の出力がアクティブとなる。
【００３９】
タイミングＢにおいては、タイマ１の出力がアクティブであるため、タイマ１の次に優先順位の高いタイマ２の出力がアクティブとなり、それがカウント時間継続する。
【００４０】
タイミングＣにおいては、タイマ１の出力及びタイマ２の出力がアクティブであるため、タイマ２の次に優先順位の高いタイマ３の出力がアクティブとなり、それがカウント時間継続する。
【００４１】
タイミングＦにおいては、タイマ１の出力がアクティブであるため、タイマ１の次に優先順位の高いタイマ２の出力がアクティブとなり、それがカウント時間継続する。
【００４２】
タイミングＨにおいては、タイマ１の出力がアクティブであるため、タイマ１の次に優先順位の高いタイマ２の出力がアクティブとなり、それがカウント時間継続する。
【００４３】
タイミングＩにおいては、タイマ１の出力及びタイマ２の出力がアクティブであるため、タイマ２の次に優先順位の高いタイマ３の出力がアクティブとなり、それがカウント時間継続する。
【００４４】
この例では、同時にアクティブとなるタイマの出力は最多でも３つであるので、警報は出力されない。
【００４５】
図７は、ゴトを検出する第１の例の動作を説明するためのタイミング図である。図７の例では、始動口入賞情報が発生するタイミングの間隔が全て、タイマ１〜Ｎに設定されたカウント時間より短いので、全てのタイマの出力が同時にアクティブとなる期間が発生し、警報が出力される。
【００４６】
具体的には、タイマ１の出力がアクティブであるタイミングＢにおいて始動口入賞情報が発生するので、タイマ１の次に優先順位の高いタイマ２の出力がアクティブとなる。次に、タイマ１の出力及びタイマ２の出力がアクティブであるタイミングＣにおいて始動口入賞情報が発生するので、タイマ２の次に優先順位の高いタイマ３の出力がアクティブとなる。このような動作が続き、タイマ１〜Ｎ−１の出力がアクティブであるタイミングＤにおいて始動口入賞情報が発生するので、タイマＮの出力がアクティブとなる。従って、全てのタイマの出力がアクティブとなるタイミングＤから警報信号が出力される。
【００４７】
図８は、ゴトを検出する第２の例の動作を説明するためのタイミング図である。図８の例でも、始動口入賞情報が発生するタイミングの間隔が全て、タイマ１〜Ｎに設定されたカウント時間より短いので、全てのタイマの出力が同時にアクティブとなる期間が発生し、警報が出力される。
【００４８】
具体的には、タイマ１の出力がアクティブであるタイミングＢにおいて始動口入賞情報が発生するので、タイマ１の次に優先順位の高いタイマ２の出力がアクティブとなる。タイミングＣにおいては、タイマ１の出力がインアクティブであるため、タイマ１が起動され、タイマ１の出力がアクティブとなる。タイミングＤにおいては、タイマ１の出力及びタイマ２の出力がアクティブであるので、タイマ２の次に優先順位の高いタイマ３が起動され、タイマ３の出力がアクティブとなる。タイミングＥにおいては、タイマ１の出力がアクティブであるが、タイマ２の出力がインアクティブであるため、タイマ２が再起動され、タイマ２の出力がアクティブとなる。タイミングＦにおいては、タイマ１〜タイマＮ−１の出力がアクティブであるため、タイマＮが起動され、タイマＮの出力がアクティブとなる。この時、全てのタイマの出力がアクティブとなり、警報が出力される。
【００４９】
なお、タイマのカウント時間とタイマの数は、ＣＲ機の特性に応じて、適宜に定めればよい。
【００５０】
また、上記の説明では、始動口への入賞を例に取り説明したが、一般に、入賞口への入賞に本発明を適用してもよい。
【図面の簡単な説明】
【００５１】
【図１】本発明の実施形態によるゴト検出装置の構成を示すブロック図である。
【図２】本発明の実施形態による各タイマの動作を説明するためのフローチャートである。
【図３】図１に示す優先順位エンコーダの入賞情報があった場合の真理値表である。
【図４】図３に示す真理値表に従った動作を実現させるためのフローチャートである。
【図５】本発明の実施形態によるゴトを検出しない第１の例の動作を説明するためのタイミング図である。
【図６】本発明の実施形態によるゴトを検出しない第２の例の動作を説明するためのタイミング図である。
【図７】本発明の実施形態によるゴトを検出する第１の例の動作を説明するためのタイミング図である。
【図８】本発明の実施形態によるゴトを検出する第２の例の動作を説明するためのタイミング図である。
【符号の説明】
【００５２】
１０１  始動口入賞認識回路
１０３  優先順位エンコーダ
１０５−１  タイマ１
１０５−２  タイマ２
１０５−Ｎ  タイマＮ
１０７  論理積ゲート
【図１】
2010068995.tif 000003
【図２】
2010068995.tif 000004
【図３】
2010068995.tif 000005
【図４】
2010068995.tif 000006
【図５】
2010068995.tif 000007
【図６】
2010068995.tif 000008
【図７】
2010068995.tif 000009
【図８】
2010068995.tif 000010